(57)【特許請求の範囲】
【請求項１】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記付勢手段は、前記シェービングヘッド（４４，１４４，３４４，４４４）に連結されると共に前記シェービングヘッドから外側に向けて伸張する部分をもつプランジャ（６２，１６２，３６２，４６２，５６２）を有し、前記プランジャ（６２，１６２，３６２，４６２，５６２）は、前記剃刀カートリッジ（６０，３６０，４６０，５６０）が非回転位置にあるときの伸長位置と前記剃刀カートリッジ（６０，３６０，４６０，５６０）が前記回転位置にあるときの後退位置との間で移動可能となっており、
前記付勢手段は、前記プランジャと前記シェービングヘッド（４４，１４４，３４４，４４４）との間に介在して外部から適用される力に応じて前記プランジャ（６２，１６２，３６２，４６２，５６２）を前記伸長位置に向けて常時付勢するスプリング（７０，３７０，４７０）をさらに有し、
前記アクチュエータ（６６，３６６，４６６，５６６）は、前記ハンドル（４２）に旋回可能に連結され、前記スプリング（７０，３７０，４７０）は前記プランジャ（６２，１６２，３６２，４６２，５６２）と前記アクチュエータ（６６，３６６，４６６，５６６）との間に介在して前記プランジャ（６２，１６２，３６２，４６２，５６２）を前記伸長位置に向けて常時付勢すると共に前記アクチュエータ（６６，３６６，４６６，５６６）を前記中立位置に向けて付勢するシェービング装置（４０，３４０，４４０，５４０）。
【請求項２】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記カートリッジリテーナ（４６，１４６，３４６，４４６）の少なくとも一部分は、前記中立位置から相反する２方向への前記カートリッジリテーナ（４６，１４６，３４６，４４６）の角運動のために前記内部領域（４８，３４８，４４８）に支持されており、
前記カートリッジリテーナ（４６，１４６，３４６，４４６）は、前記中立位置に常時付勢されており、
外部から適用される力に応じて前記中立位置に向けて前記カートリッジリテーナ（４６，１４６，３４６，４４６）を付勢する第２の付勢手段を有するシェービング装置（４０，３４０，４４０，５４０）。
【請求項３】
前記第２の付勢手段は、前記内部領域（４８，３４８，４４８）内に配置されていると共にスライド可能に前記シェービングヘッド（４４，１４４，３４４，４４４）に連結され、前記カートリッジリテーナにより画定される対応する面（８０）に係合する隣接面（７８）を画定し、前記カートリッジリテーナ（４６，１４６，３４６，４４６）の前記中立位置に対応する第１の位置と前記カートリッジリテーナ（４６，１４６，３４６，４４６）の回転位置に対応する第２の位置との間で移動可能なカムブロック（７４）と、
前記内部領域（４８，３４８，４４８）に配置されて前記カムブロック（７４）と係合して前記カムブロック（７４）を外部から適用される力に応じて前記第１の位置へ向けて付勢するスプリング（８２）とを有する、請求項２に記載のシェービング装置（４０，３４０，４４０，５４０）。
【請求項４】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記保持手段は、前記カートリッジ係合面（５２，１５２）の一部分（５４）により少なくとも一部が画定され、前記一部分（５４）は、前記剃刀カートリッジ（６０，３６０，４６０，５６０）により画定される前記スロット（５６）と解放可能に掛止するように係合し得て、
前記アクチュエータ（６６，３６６，５６６）の前記中立位置に対応する後退位置と前記アクチュエータ（６６，３６６，５６６）の前記カートリッジイジェクト位置に対応する伸長位置との間で移動すべく、前記アクチュエータ（６６，３６６，５６６）にスライド可能に連結されると共に前記内部領域（４８，３４８）に少なくとも一部が配置され、前記後退位置へ向けて常時付勢されるプッシャ（８４，１８４，３８４）をさらに有し、
前記プッシャ（８４，１８４，３８４）は、前記伸長位置にある場合に、前記剃刀カートリッジに係合して力を加え、それにより、前記剃刀カートリッジ（６０，３６０，５６０）を前記カートリッジリテーナ（４６，１４６，３４６）から解放させ、
前記アクチュエータ（６６，３６６，５６６）は、前記ハンドル（４２）に旋回可能に連結されたボタン（６６，３６６，５６６）であり、手動操作可能な外側部分と前記内部領域（４８，３４８）内へ伸びる内側部分とを有し、
前記内側部分は、前記プッシャ（８４，１８４，３８４）から伸びる突起（９０）にスライド可能に係合するようになっているスロット（９２）を画定して、前記中立位置から前記カートリッジイジェクト位置までの前記アクチュエータ（６６，３６６，５６６）の運動により前記突起（９０）を前記スロット（９２）内で徐々に移動させ、これにより、前記後退位置から前記伸長位置までの前記プッシャ（８４，１８４，３８４）の対応する運動を生み出す、シェービング装置（４０，３４０，４４０，５４０）。
【請求項５】
内部領域（４８，３４８）を画定するシェービングヘッド（４４，１４４，３４４）を有するハンドル（４２）と、
前記シェービングヘッド（４４，１４４，３４４）に旋回可能に連結されて、付勢された状態の中立位置とカートリッジイジェクト位置との間で運動するアクチュエータ（６６，３６６，５６６）と、
前記内部領域（４８，３４８）に部分的に支持されて前記中立位置から概ね相反する方向の両側に角運動するカートリッジリテーナ（４６，３４６）であって、前記カートリッジリテーナ（４６，３４６）の一部分が前記シェービングヘッド（４４，１４４，３４４）から外側に向けて突出して少なくとも一のカートリッジ係合面（５２，１５２）を画定し、このカートリッジ係合面がスライド可能に掛止するように剃刀カートリッジにより画定される後側面（５８）の長手方向に伸長してスロット（５６）に係合し、前記剃刀カートリッジ（６０，３６０，５６０）が回転位置及び非回転位置の間で前記カートリッジ係合面（５２，１５２）に対して角運動可能になっているカートリッジリテーナ（４６，３４６）と、
前記内部領域（４８，３４８）内に配置されると共に前記シェービングヘッド（４４，１４４，３４４）にスライド可能に連結され、前記カートリッジリテーナ（４６，３４６）により画定される対応する面（８０）に係合する隣接面（７８）を画定し、外部から適用される力に応じて前記中立位置に向けて前記カートリッジリテーナ（４６，３４６）を付勢するカムブロック（７４）と、
前記カムブロック（７４）と前記アクチュエータ（６６，３６６，５６６）との間に介在してこれらに係合し、前記隣接面（７８）を前記カートリッジリテーナ（４６，３４６）に係合させるように常時付勢する第１スプリング（８２）と、
前記カムブロック（７４）に隣り合う前記シェービングヘッドにスライド可能に連結されて、前記剃刀カートリッジ（６０，３６０，５６０）が前記中立位置にある場合の伸長位置と前記剃刀カートリッジ（６０，３６０，５６０）が前記回転位置にある場合の後退位置との間で運動するプランジャ（６２，１６２，３６２，５６２）と、
前記アクチュエータ（６６，３６６，５６６）と前記プランジャ（６２，１６２，３６２，５６２）との間に介在してこれらに係合し、前記プランジャ（６２，１６２，３６２，５６２）を前記伸長位置に向けて常時付勢すると共に前記アクチュエータ（６６，３６６，５６６）を前記中立位置に向けて付勢する第２スプリング（７０）と、
前記カムブロック（７４）及び前記プランジャの少なくとも一方に隣り合う前記内部領域（４８，３４８）にスライド可能にかつ少なくとも部分的に位置決めされ、前記アクチュエータ（６６，３６６，５６６）に連結されて前記アクチュエータ（６６，３６６，５６６）が前記カートリッジイジェクト位置にある場合の伸長位置と前記アクチュエータ（６６，３６６，５６６）が前記中立位置にあるときの後退位置との間で運動するプッシャ（８４，１８４，３８４）とを有し、
前記プッシャ（８４，１８４，３８４）は、当該プッシャが前記伸長位置にある場合に前記剃刀カートリッジ（６０，３６０，５６０）に隣接する端部（８６，１８６，３８６）を画定し、それにより、前記剃刀カートリッジ（６０，３６０，５６０）を前記剃刀ハンドル（４２）から解放させる、シェービング装置（４０，３４０，５４０）。
【請求項６】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記ハンドル（４２）は、前記シェービング装置（４０，３４０，４４０，５４０）に対する衝撃力によるエネルギを吸収する緩衝手段（２００）を有するシェービング装置（４０，３４０，４４０，５４０）。
【請求項７】
前記ハンドル（４２）は、内部キャビティ（２１２）を確定する細長いハンドグリップ部（２１０）を有し、
前記緩衝手段（２００）は、前記キャビティ（２１２）内にスライド可能に配置された少なくとも一の錘（２１４）を有し、
前記錘（２１４）と前記ハンドル（４２）との間で前記内部キャビティ（２１２）内に配置されて前記衝撃力に応じて前記錘（２１４）を振動させる少なくとも一の弾性部材（２１６）を有する、請求項６に記載のシェービング装置。
【請求項８】
前記弾性部材（２１６）は、前記キャビティ（２１２）内に配置された一対の概ね向かい合うスプリング（２１６）を有し、前記スプリングの各々は、前記錘（２１４）と前記ハンドル（４２）との間に介在してこれらに係合している、請求項７に記載のシェービング装置（４０，３４０，４４０，５４０）。
【請求項９】
前記第２の付勢手段は、前記内部領域（４８，３４８，４４８）に配置されたトーションスプリング（３８２）であり、前記カートリッジリテーナ（４６，１４６，３４６，４４６）と連携して付勢する、請求項２に記載のシェービング装置（４０，３４０，４４０，５４０）。
【請求項１０】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記アクチュエータ（６６，３６６，５６６）は、前記シェービングヘッド（４４，１４４，３４４）にスライド可能に連結されて前記内部領域（４８，３４８）内へ突出する延長部を画定しており、
前記付勢手段は、前記内部領域にスライド可能に配置されて伸長位置と後退位置との間で移動するプランジャ（３６２）を有し、前記プランジャ（３６２）は前記伸長位置に向けて常時付勢されており、
前記シェービングヘッド（４４，１４４，３４４）にスライド可能に連結されて、前記アクチュエータ（６６，３６６，５６６）が前記中立位置にある場合の第１の位置と前記アクチュエータ（６６，３６６，５６６）がカートリッジイジェクト位置にある場合の第２の位置との間で移動するプッシャ（８４，１８４，３８４）を有し、前記プッシャ（８４，１８４，３８４）は、前記延長部（３６７）により画定される合わせ面に係合するようになっている隣接面（７８）を画定しており、
前記プッシャ（３８４）が前記第２の位置へ向かって移動することにより、前記隣接面（７８）が前記剃刀カートリッジ（６０，３６０，５６０）に接触すると共に、前記第２の位置へ向けてさらに移動することにより前記カートリッジ（６０，３６０，５６０）が前記ハンドル（４２）から解放され、
前記カートリッジリテーナ（４６，１４６，３４６）の少なくも一部分は、前記中立位置から概ね相反する方向の両側に角運動するために、前記内部領域（４８，３４８）内に支持され、前記カートリッジリテーナ（４６，１４６，３４６）は、前記中立位置に向けて常時付勢されており、
前記カートリッジリテーナ（４６，１４６，３４６）を外部から適用される力に応じて前記中立位置に向けて付勢する第２の付勢手段を有するシェービング装置（４０，３４０，５４０）。
【請求項１１】
前記第２の付勢手段は、前記内部領域（４８，３４８，４４８）に配置されたトーションスプリング（３８２）であり、前記カートリッジリテーナ（４６，１４６，３４６）と連携して付勢する、請求項１０に記載のシェービング装置（４０，３４０，５４０）。
【請求項１２】
内部領域（４８，３４８）を画定するシェービングヘッド（４４，１４４，３４４）を有するハンドル（４２）と、
前記シェービングヘッド（４４，１４４，３４４）とスライド可能に連結されると共に前記内部領域（４８，３４８）内へ突出する延長部を画定するアクチュエータ（６６，３６６，５６６）と、
付勢された状態の中立位置から両側に角運動するために少なくともその一部が前記内部領域（４８，３４８）内に支持されたカートリッジリテーナ（４６，３４６）であって、前記一部がシェービングヘッド（４４，１４４，３４４）から外側に向けて突出すると共に少なくとも一の概ね円筒状のカートリッジ係合面（５４）を画定しており、このカートリッジ係合面が剃刀カートリッジ（６０，３６０，５６０）により画定された背面（５８）の長手方向に伸びるスロット（５６）にスライド可能に係合するようになっているカートリッジリテーナ（４６，３４６）と、
前記カートリッジリテーナ（４６，３４６）を前記剃刀カートリッジ（６０，３６０，５６０）へ解放可能に連結する保持手段と、
非回転位置と回転位置との間で角運度可能な前記剃刀カートリッジ（６０，３６０，５６０）と、
前記剃刀カートリッジ（６０，３６０，５６０）を係合させるべく、前記シェービングヘッド（４４，１４４，３４４）内に配置されると共に前記シェービングヘッドから外側に向けて伸びる部分を有しており、伸長位置と後退位置との間で移動可能なプランジャ（６２，１６２，３６２，５６２）と、
前記シェービングヘッド（４４，１４４，３４４）にスライド可能に連結されて、前記アクチュエータ（６６，３６６，５６６）が前記中立位置にある場合の第１の位置と前記アクチュエータ（６６，３６６，５６６）がカートリッジイジェクト位置にある場合の第２の位置との間で移動し、前記延長部により画定される合わせ隣接面（７８）に係合する隣接面（７８）を画定するプッシャ（８４，１８４，３８４）と、
前記プッシャ（８４，１８４，３８４）と前記プランジャ（６２，１６２，３６２，５６２）との間に介在して前記プランジャ（６２，１６２，３６２，５６２）を前記伸長位置に向けて付勢し、それにより、前記剃刀カートリッジ（６０，３６０，５６０）を前記非回転位置に向けて付勢する第１の付勢手段と、
前記カートリッジリテーナ（４６，３４６）を前記中立位置に向けて外部から適用される力に応じて付勢する第２の付勢手段と、を有し、
前記アクチュエータ（６６，３６６，５６６）が前記カートリッジイジェクト位置へ移動することにより、前記延長部により画定される前記隣接面（７８）が前記プッシャ（８４，１８４，３８４）により画定される前記隣接面（７８）に係合し、それにより、前記プッシャ（８４，１８４，３８４）が前記剃刀カートリッジ（６０，３６０，５６０）を圧すると共に前記カートリッジリテーナ（４６，３４６）から解放する、シェービング装置（４０，３４０，５４０）。
【請求項１３】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記アクチュエータ（６６，３６６，４６６，５６６）は、手動操作可能な外側部分と前記内部領域（４８，３４８，４４８）内に配置された内部部分とをもつボタン（６６，３６６，４６６，５６６）であると共に、前記シェービングヘッド（４４，１４４，３４４，４４４）により画定されるスロット（９２）とスライド可能に係合する突起（９０）を画定しており、
前記カートリッジリテーナ（４６，１４６，３４６，４４６）は、前記中立位置から概ね相反する方向の両側に角運動するべく、前記内部領域（４８，３４８，４４８）に支持されており、
前記付勢手段は、前記内部領域（４８，３４８，４４８）にスライド可能に装着されると共に伸長位置と後退位置との間で移動可能で、前記伸長位置に向けて常時付勢されているプランジャ（６２，１６２，３６２，４６２，５６２）を有し、
前記シェービングヘッド（４４，１４４，３４４，４４４）にスライド可能に連結され、前記アクチュエータの前記中立位置に対応する中立位置と前記ハンドル（４２）から前記剃刀カートリッジ（６０，３６０，４６０，５６０）を押して取り外すイジェクト位置との間で移動するイジェクタをさらに有し、前記イジェクタは、前記アクチュエータにより画定される第１の隣接面（７８）を画定し、この第１の隣接面は前記アクチュエータ（６６，３６６，４６６，５６６）により画定されてこれと合わさる第２の隣接面（８０）に係合し、
前記スロット（９２）は、前記アクチュエータ（６６，３６６，４６６，５６６）を前記中立位置から前記第１及び第２の隣接面（７８，８０）が係合する位置まで退行させる傾斜部と、前記アクチュエータ（６６，３６６，４６６，５６６）と前記イジェクタとを前記カートリッジイジェクト位置へ移動させる直線部とを画定しているシェービング装置（４０，３４０，４４０，５４０）。
【請求項１４】
外部から適用される力に応じて前記カートリッジリテーナ（４６，１４６，３４６，４４６）を前記中立位置へ向けて付勢する第２の付勢手段をさらに有する、請求項１３に記載のシェービング装置（４０，３４０，４４０，５４０）。
【請求項１５】
前記第２の付勢手段は、前記内部領域（４８，３４８，４４８）内に配置されたトーションスプリング（３８２）を有すると共に前記カートリッジリテーナと連携して付勢する、請求項１４に記載のシェービング装置（４０，３４０，４４０，５４０）。
【請求項１６】
前記第２の付勢手段は、前記プランジャ（６２，１６２，３６２，４６２，５６２）と前記アクチュエータ（６６，３６６，４６６，５６６）との間に介在するスプリングをさらに有する、請求項１３に記載のシェービング装置（４０，３４０，４４０，５４０）。
【請求項１７】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記アクチュエータ（６６，３６６，４６６，５６６）は、前記内部領域（４８，３４８，４４８）内に位置する内部部分を有し、
前記付勢手段は、前記内部領域にスライド可能に配置されると共に前記内部領域（４８，３４８，４４８）から外側に向けての伸びる部分を有し、伸長位置と後退位置との間で移動可能であり、前記伸長位置に向けて常時付勢されているプランジャ（６２，１６２，３６２，４６２，５６２）を有し、
前記アクチュエータ（６６，３６６，４６６，５６６）は、前記中立位置から前記内部領域（４８，３４８，４４８）に向けて少なくとも部分的には前記内部領域内へ移動可能であり、前記プランジャ（６２，１６２，３６２，４６２，５６２）を直線的に係合させて、当該アクチュエータ（６６，３６６，４６６，５６６）のさらなる操作により、前記プランジャ（６２，１６２，３６２，４６２，５６２）に前記伸長位置を通過させて、それにより、前記剃刀カートリッジ（６０，３６０，４６０，５６０）を前記ハンドル（４２）から解放させるシェービング装置（４０，３４０，４４０，５４０，７４０）。
【請求項１８】
前記カートリッジリテーナ（４６，３４６，４４６）は、前記中立位置から概ね相反する方向の両側に角運動するために、少なくとも部分的には前記内部領域（４８，３４８，４４８）内に配置される、請求項１７に記載のシェービング装置（４０，３４０，４４０，５４０，７４０）。
【請求項１９】
外部から適用される力に応じて前記カートリッジリテーナ（４６，３４６，４４６）を前記中立位置に向けて付勢する第２の付勢手段をさらに有する、請求項１８に記載のシェービング装置（４０，３４０，４４０，５４０，７４０）。
【請求項２０】
前記第２の付勢手段は、前記内部領域（４８，３４８，４４８）内に配置されるトーションスプリング（３８２，４８２，７５５，７５６）であると共に前記カートリッジリテーナ（４６，３４６，４４６）と連携して付勢する、請求項１９に記載のシェービング装置（４０，３４０，４４０，５４０，７４０）。
【請求項２１】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記ハンドル（６４２，７４２）はハンドグリップ部を有すると共に、前記シェービングヘッドは前記ハンドグリップ部に連結されたハウジング（６４８，７６８）を画定しており、
前記付勢手段は、伸長位置と後退位置との間で移動するためにスライド可能に前記ハウジング（６４８，７６８）内に配置されるプランジャ（６６２，７６２）を有し、前記プランジャ（６６２，７６２）は、前記伸長位置に向けて常時付勢されていると共に前記ハンドル（６４２，７４２）に装着された剃刀カートリッジ（６６４，７６０）に係合しており、
前記保持手段は、前記カートリッジ係合面から外側に向けて突出し、前記剃刀カートリッジ（６６４，７６０）により画定される凹部（６８２，７８３）に受容される成形されたピン（６８０，７８０）を有し、このピン（６８０，７８０）は、前記アクチュエータに連結されて前記アクチュエータが前記中立位置から前記カートリッジイジェクト位置まで移動することにより伸長位置から後退位置まで移動し、前記伸長位置に向けて常時付勢されているシェービング装置（６４０，７４０）。
【請求項２２】
前記少なくとも一のカートリッジ係合面は、各々が端部を画定する一対の略同軸状のカートリッジ係合面を含み、
前記保持手段は、概ね対向するように形成された一対のピン（６８０，７８０）を有し、それぞれのピン（６８０，７８０）が前記カートリッジ係合面の各々の前記端部から伸びており、各々の成形されたピン（６８０，７８０）は前記剃刀カートリッジ（６６４，７６０）により画定される凹部（６８２，７８３）を受容するようになっており、
前記成形されたピン（６８０，７８０）の各々は、前記アクチュエータが前記中立位置から前記カートリッジイジェクト位置へ移動することにより、伸長位置から後退位置へ移動するように前記アクチュエータに連結されており、前記伸長位置に向けて常時付勢されている、請求項２１に記載のシェービング装置（６４０，７４０）。
【請求項２３】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記ハンドル（６４２，７４２）はハンドグリップ部を有すると共に、前記シェービングヘッドは前記ハンドグリップ部に連結されたハウジング（６４８，７６８）を画定しており、
前記ハウジング（６４８，７６８）は、第１のハウジングセクション（６５０，７４４）と前記第１のハウジングセクション（６５０，７４４）に連結された第２のハウジングセクション（６５２，７４６）とを有し、
前記カートリッジリテーナは、前記第２のハウジングセクション（６５２，７４６）の一部を形成しており、
前記付勢手段は、伸長位置と後退位置との間で前記第２のハウジングセクションに対して相対移動するために、前記第２のハウジングセクション（６５２，７４６）に連結され、前記伸長位置に向けて常時付勢されたプランジャ（６６２，７６２）を有し、
前記アクチュエータは、前記第２のハウジングセクション（６５２，７４６）と連結されてこれと共に移動するシェービング装置（６４０，７４０）。
【請求項２４】
前記ハウジング（６４８，７６８）は、概ね相反する方向の両側に角運動可能である、請求項２３に記載のシェービング装置（６４０，７４０）。
【請求項２５】
前記シェービングヘッドに対して方向付けられた衝撃力から生じるエネルギを消散させる吸収手段（７９８）をさらに有する、請求項２３に記載のシェービング装置（７４０）。
【請求項２６】
前記吸収手段（７９８）は、前記シェービング装置（７４０）にスライド可能に連結された、前記作動位置に向けて常時付勢されている第２のハウジングを有する、請求項２５に記載のシェービング装置。
【請求項２７】
ハンドグリップ部を有するハンドル（６４２）及び前記ハンドグリップ部の一端部に連結されたハウジング（６４８）を有し、
前記ハウジング（６４８）は、互いに連結された第１及び第２のハウジングセクション（６５０，６５２）により画定され、
前記ハウジング（６４８）は、互いに間隔をおいて略同軸状の一対の概ね円筒状のカートリッジ係合面（６８６）を画定し、各々の係合面（６８６）は、剃刀カートリッジ（６６４）の背面の長手方向に伸長するスロット（６８４）にスライド可能に適合し、
前記剃刀カートリッジ（６６４）は、非回転位置と回転位置との間で移動可能であり、
前記第２のハウジングセクション（６５２）にスライド可能に連結されて前記剃刀カートリッジ（６６４）に係合し、伸長位置と後退位置との間で移動可能なプランジャ（６６２）と、
前記プランジャ（６６２）を前記伸長位置に向けて付勢し、それにより、外部から適用される力に応じて前記剃刀カートリッジ（６６４）を前記非回転位置に向けて付勢する第１の付勢手段と、
前記カートリッジ係合面（６８６）の各々の前記端部から伸びており、各々が後退位置と伸長位置との間で移動可能であり、前記剃刀カートリッジ（６６４）により画定される凹部にスライド可能に適合する一対のピン（６８０）と、
前記第２のハウジングセクションと前記ピンの各々に連結され、前記ピンの伸長位置に対応する、付勢された状態の中立位置と前記ピンの前記後退位置に対応するカートリッジイジェクト位置との間で移動可能であるアクチュエータ（６８８）と、を有するシェービング装置（６４０）。
【請求項２８】
前記ハウジング（６４８）は、前記中立位置から略相反する方向の両側に角運動するために、前記ハンドル（６４２）に連結されている、請求項２７に記載のシェービング装置（６４０）。
【請求項２９】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記シェービングヘッドは、これに連結されるメインハウジング（７６８）を有し、前記カートリッジリテーナは、前記メインハウジング（６４０）に内蔵されて前記カートリッジ係合面が前記メインハウジング（７６８）の外側部分により画定され、
前記保持手段は、概ね向かい合うように形成されて前記カートリッジ係合面から外側に向けて突出する一対のピン（７８０）を有し、各々のピン（７８０）は伸長および後退位置の間で移動可能であり、前記剃刀カートリッジ（７６０）により画定される凹部（７８３）内に受容され、
前記アクチュエータ（７８８）は、前記メインハウジング（７６８）と前記ピン（７８０）に連結されて前記アクチュエータ（７８８）が前記中立位置から前記カートリッジイジェクト位置へ移動することにより前記ピン（７８０）が前記伸長位置から前記後退位置へ移動するシェービング装置（７４０）。
【請求項３０】
前記メインハウジング（７６８）は、前記中立位置から略相反する方向の両側への角運動が可能になっている、請求項２９に記載のシェービング装置（７４０）。
【請求項３１】
前記メインハウジング（７６８）は、前記中立位置に向けて常時付勢されている、請求項３０に記載のシェービング装置（７４０）。
【請求項３２】
前記メインハウジング（７６８）は、その背面上に開口（７７０）を画定しており、前記開口（７７０）は前記内部領域と連通しており、
各々が前記成形されたピン（７８０）の一つを画定し、前記内部領域に前記開口（７７０）を通じて配置され、各々がスロット（７９２）を画定する一対のリテーナ（７７２）と、
前記開口（７７０）を通じて前記ハウジング（７６８）内にスライド可能に配置されると共にそれ自体から垂下する突起（７９０）を画定し、各々が前記リテーナ（７７２）により画定される前記スロット（７９２）の一つにスライド可能に受容されるプッシャブロック（７５６）と、を有し、
前記プッシャブロック（７５６）は、第１及び第２の位置の間で移動可能であり、前記第１の位置から前記第２の位置への移動により前記突起（７９０）を徐々に前記スロット（７９２）に係合させ、これにより、前記ピン（７８０）を前記伸長位置から前記後退位置へ移動させ、
前記付勢手段は、前記メインハウジング（７６８）内にスライド可能に配置されると共に前記シェービング装置（７４０）と連結された剃刀カートリッジ（７６０）と係合可能な一端部をもつプランジャ（７６２）を有しており、
前記内部領域に配置されると共に、前記プッシャブロック（７５６）に隣接してこれに圧力を与えて前記メインハウジング（７６８）内に配置された部品の位置を維持する部分を有する弾性クリップ（７９４）と、
前記開口内に配置されて前記弾性クリップ（７９４）を圧するキャップ（７９６）と、を有し、
前記付勢手段は、前記プランジャ（７６２）と前記キャップ（７９６）の間に配置されて前記プランジャ（７６２）を前記伸長位置に向けて付勢するスプリング（７６６）をさらに有する、請求項３０に記載のシェービング装置（７４０）。
【請求項３３】
前記メインハウジング（７６８）は、単一物であり、単一の素材で形成されている、請求項２９に記載のシェービング装置（７４０）。
【請求項３４】
前記ハンドルに連結されると共に前記メインハウジング（７６８）をスライド可能に受容するインパクトハウジング（８００）と、
前記インパクトハウジング（８００）にスライド可能に連結されると共に前記メインハウジング（７６８）と係合可能であって衝撃を受けた前記メインハウジング（７６８）が前記インパクトハウジング（８００）に対してスライドして係合するダンパ（７９８）と、
前記ダンパ（７９８）と前記インパクトハウジング（８００）との間に介在し、衝撃に起因して前記ダンパ（７９８）により与えられる力の少なくとも一部を吸収する付勢手段と、を有する請求項２９に記載のシェービング装置（７４０）。
【請求項３５】
前記付勢手段は、スプリング（８０４）を含む、請求項３４に記載のシェービング装置（７４０）。
【請求項３６】
前記スプリング（８０４）は、コイルスプリングであり、前記付勢手段は前記ダンパ（７９８）に連結されて前記インパクトハウジング（８００）に係合する弾性部材（８０２）を含む、請求項３５に記載のシェービング装置。
【請求項３７】
前記メインハウジング（７６８）は、自身から伸びる突出部（８０８）を画定していると共に前記インパクトハウジング（８００）により画定されるスロット（８１０）内にスライド可能に受容され、
前記ダンパ（７９８）は、前記突出部（８０８）と係合可能である、請求項３４に記載のシェービング装置（７４０）。
【請求項３８】
前記メインハウジング（７６８）は、自身から伸びる突出部（８０８）を画定していると共に前記インパクトハウジング（８００）により画定されるスロット（８１０）内にスライド可能に受容され、
前記突出部（８０８）は、前記インパクトハウジング（８００）内に配置されたトーションスプリング（７５５）と連携して付勢し、
前記メインハウジング（７６８）は、前記中立位置から前記ハンドルに対して両側に角運動可能でり、前記トーションスプリング（７５５）により前記中立位置に向けて常時付勢されており、
前記ダンパ（７９８）は、前記トーションスプリング（７５５）と係合可能である、請求項３４に記載のシェービング装置（７４０）。
【請求項３９】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記シェービングヘッドは、自身に連結されるメインハウジング（６４８，７６８）を有すると共に前記内部領域（６５４）を画定し、前記内部領域（６５４）に連通する開口（７７０）をさらに画定しており、
前記カートリッジリテーナは、各々が少なくとも部分的に前記開口を通じて前記内部領域に配置される一対のリテーナを有し、
前記保持手段は、各リテーナにより画定されるアームを有し、各アームがその一端部にピン部をもち、各ピン部は剃刀カートリッジにより画定される凹部に受容され、
前記メインハウジング内に配置されて前記リテーナの各々と連結され、第１の位置から第２の位置への移動により各リテーナと前記ピンとを伸長位置から後退位置へ移動させるプッシャブロック（６５６，７５６）と、
前記内部領域内に配置されて前記プッシャブロック（６５６，７５６）に隣接し、前記プッシャブロック（６５６，７５６）に対して圧力を与えることにより前記プッシャブロック（６５６，７５６）を互いの位置合わせにおいて保持する弾性クリップ（７９４）と、
前記ハウジング（６４８，７６８）に連結されると共に前記弾性クリップ（７９４）に係合するキャップ（７９６）と、を有するシェービング装置（６４０，７４０）。
【請求項４０】
前記付勢手段は、前記メインハウジング（６４８，７６８）内にスライド可能に配置されると共に剃刀カートリッジ（６６４，７６０）と係合可能な一端部を画定し、非回転位置に向けて前記剃刀カートリッジ（６６４，７６０）を常時付勢するプランジャ（６６２，７６２）を含む、請求項３９に記載のシェービング装置。
【請求項４１】
内部領域を画定するシェービングヘッド（４４，１４４，３４４，４４４）を有するハンドル（４２，６４２，７４２）と、
前記シェービングヘッド（４４，１４４，３４４，４４４）に連結されて、付勢された状態の中立位置とカートリッジイジェクト位置との間で運動するアクチュエータ（６６，３６６，４６６，５６６，７８８）と、
前記シェービングヘッドに連結されると共に前記シェービングヘッド（４４，１４４，３４４，４４４）から外側に向けて突出する部分を有し、前記外側に向けて突出する部分が少なくとも一のカートリッジ係合面（５２，１５２）を画定し、このカートリッジ係合面が剃刀カートリッジ（６０，３６０，４６０，５６０，６６４，７６０，１００８）により画定される後側面（５８）の縦方向に伸長するスロット（５６）にスライド可能に係合するようになっているカートリッジリテーナ（４６，１４６，３４６，４４６，１００６）と、
前記剃刀カートリッジ（６０，３６０，４６０，５６０，６６４，７６０，１００８）が非回転位置及び回転位置の間で移動可能となるように前記カートリッジリテーナ（４６，３４６，４４６，１００６）を前記剃刀カートリッジ（６０，３６０，４６０，５６０，６６４，７６０，１００８）へ解放可能に連結する保持手段と、
外部から適用される力に応じて前記剃刀カートリッジ（６０，３６０，４６０，５６０，６６４，７６０，１００８）を前記非回転位置へ付勢する付勢手段と、を有し、
前記シェービングヘッドは、一対の概ね対向する２側面（１０１４）により部分的に画定されるノッチ（１０１２）を有するハウジング（１００２）を画定しており、
前記剃刀カートリッジ（１００８）は、自身から突出する延長部（１０１０）を有し、
前記延長部（１０１０）は、前記剃刀カートリッジが前記カートリッジリテーナ（１００６）に連結される場合には少なくとも部分的には前記ノッチ（１０１２）内に配置され、前記2側面（１０１４）は前記剃刀カートリッジ（１００８）の横方向の移動を規制するシェービング装置（１０００）。
【請求項４２】
前記シェービングヘッドは、自身から外側へ向けて突出する突出部（１００４）をもつハウジング（１００２）を画定しており、前記ノッチ（１０１２）は、前記突出部（１００４）に配置される、請求項４１に記載のシェービング装置（１０００）。
【発明の詳細な説明】
【技術分野】
【０００２】
発明の分野
本発明は、概略的には毛深い表面をシェービングする装置を対象とし、より具体的には、剃刀ハンドルと刃を保持するカートリッジとの間の係合の容易化を提供するシェービング装置を対象にしている。
【背景技術】
【０００３】
最新の剃刀は、一般的には２つの形式のものが提供され、日取るは剃刀全体が使い捨てのものであり、もうひとつは刃を保持するカートリッジのみ使い捨てでハンドルが再利用されるものである。後者に関しては、使い捨てカートリッジは通常的に剃刀ハンドルに一対の極めて小さな後退可能な一組のアームを通じて装着され、このアームはさらに小さな両端部を有し、この両端部は使い捨てカートリッジの背面に配置された等しく小さな凹部に係合する。
【０００４】
一般的には、使い捨てカートリッジはトレイにスナップフィットされると共にその構成でユーザに提供される。トレイから使い捨てカートリッジを取り外すには、ユーザはアームの両端部とアームを保持しながら後退位置において使い捨てカートリッジにおける凹部と位置合わせし、それからアクチュエータを解放してアームの両端部を移動させて凹部と係合させる。このとき、ユーザは、ハンドルをしようしながら使い捨てカートリッジをトレイから引き抜く必要がある。
【発明の開示】
【発明が解決しようとする課題】
【０００５】
このような構成のシェービング装置に関する問題は、ピンと凹部とを位置合わせするのが面倒であることである。加えて、ピンが凹部に係合したとしても、カートリッジがトレイから引き抜かれる前にそれらがたびたび分離し、ユーザに繰り返し位置合わせ処理をさせる。したがって、ハンドルをカートリッジに係合させる間に互いの位置あわせが容易であることが剃刀ハンドル及び使い捨てカートリッジに対する要求が存在した。
【０００６】
もう一つの問題は、上記したタイプのシェービング装置をを使用している際に、剃刀カートリッジが装着された、あるいは、装着されていない状態の剃刀ハンドルが落下した結果生じる。剃刀は、普通は、水、石鹸、その他のシェービングエイドと共に使用され、ハンドルは滑りやすくなり剃刀を落下させやすくする。剃刀は、多くの場合硬いタイルや大理石の床をもつ浴室内で一般的には使用されるので、衝撃によりハンドルや使い捨てカートリッジにダメージを受け、ハンドルとカートリッジとが分離することがある。ハンドルとカートリッジとが分離すると、ユーザはそれらを既に上記したトレイの外にあるカートリッジを用いて再び組み立てなければならない。
【０００７】
上記した剃刀に関するさらにもう一つの問題は、角運動可能であること、本質的には、剃刀ハンドルに対して上下することにより、生じる。この問題を解消するためには、複数の小型部品を剃刀ハンドルに直接的に内蔵しなければならない。この問題は、カートリッジが両側に角運動してさらに多くの小型部品を要する場合に一層深刻化する。
【０００８】
上記したことに基づいて、本発明の概括的な目的は、先行技術の問題点及び不利な点を克服するシェービング装置を提供することにある。
【課題を解決するための手段】
【０００９】
本発明は、一の観点において、内部領域を画定するシェービングをもつハンドルを有するシェービング装置に属する。アクチュエータは、シェービングヘッドに連結されて中立位置とカートリッジイジェクト位置との間で移動する。カートリッジリテーナはシェービングヘッドから外側に向けて突出する部分に連結されると共に当該部分を有する。外側に突出する部分は少なくも一のカートリッジ係合面を画定しており、この係合面は剃刀カートリッジにより画定される背面の長手方向に伸長する相補的に成形されたスロットにスライド可能に係合する。保持手段は、カートリッジリテーナを剃刀カートリッジへ解放可能に連結するために備わっており、剃刀カートリッジは外部から適用される力に応じて非回転位置と回転位置との間で移動可能になっている。
【００１０】
本発明の一実施形態では、保持手段は、少なくとも部分的に、カートリッジ係合面の一部により画定される。この部分は、解放可能にスナップ式に剃刀カートリッジにより画定されるスロットに係合する。加えて、付勢手段は、プランジャを有し、少なくともその一部がシェービングヘッドから外側に向けて伸長していると共に剃刀カートリッジに係合する。プランジャは、伸長位置と後退位置との間で移動可能であり、剃刀カートリッジの非回転位置位置に対応する伸長位置に向けて通常的に付勢されている。この実施形態では、スプリングは、プランジャとアクチュエータとの間に介在し、プランジャを伸長位置に向けて付勢すると共にアクチュエータを中立位置に向けて付勢する。
【００１１】
好適には、プッシャはアクチュエータにスライド可能に連結さル戸共に少なくとも部分的に前記内部領域内に配置されてアクチュエータの中立位置に対応する後退位置とアクチュエータのカートリッジイジェクト位置に対応する伸長位置との間を移動する。好適には、第２のスプリングはプッシャとアクチュエータとの間に介在すると共にこれらに係合し、プッシャを後退位置に向けて通常的に付勢する。後退位置から伸長位置へ移動するプッシャの動作において、プッシャはシェービング装置に装着された剃刀カートリッジに係合してそれに対して力を与える。この力は最終的には剃刀カートリッジをカートリッジリテーナから分離させる。
【００１２】
本発明の一実施形態において、カートリッジリテーナは、シェービングヘッドの内部領域に部分的に支持されて外部から適用される力に応じて中立位置又は中央位置から概ね相反する方向の両側に移動する。カートリッジリテーナは、中央位置に向けて通常的に付勢される。
【００１３】
ここで記載された全ての実施形態において、シェービング装置のハンドルは、シェービング装置に対して与えられる衝撃力の少なくとも一部を吸収するダンピング手段を有する。好適には、ハンドルは、内部領域を画定する細長いハンドグリップを有する。少なくとも一の錘が弾性部材と共に内部領域内にスライド可能に配置され、弾性部材は、錘とハンドルの間に配置されて外部から適用される力に応じて錘をシェービング装置に対して振動させ、それにより、衝撃により伝達されるエネルギの少なくとも一部を吸収する。好適には、弾性部材は、キャビティ内に配置されて概ね対向する一組のスプリングを有し、各スプリングは錘とハンドルとの間に介在して係合する。
【００１４】
本発明の他の実施形態では、シェービングヘッドはハンドルに連結されるハウジングを有する。少なくとも一の成形されたピンがカートリッジ係合面から外側に突出し、このピンは剃刀カートリッジにより画定される相補的に形成された凹部に受容される。ピンはアクチュエータに連結され、中立位置からカートリッジイジェクト位置への移動により、ピンが伸長位置から後退位置へ移動する。本実施形態及び同様に既に記述した実施形態において、プランジャはハウジングから外側に向けて伸長して剃刀カートリッジに係合し、剃刀カートリッジを非回転位置へ通常的に付勢する。
【００１５】
ハンドルに連結されるハウジングは、ハンドルの残りの部分に対して固定されている、あるいは、両側に角運動可能である。ハウジングが可動の場合には、付勢手段は、これに限定されるわけではないが、例えば、トーションスプリングであり、ハウジングとシェービング装置の残りの部分との間に設けられ、ハウジングを中立位置に戻すように付勢する。加えて、プランジャ、アクチュエータ、及び使い捨てカートリッジは全てハウジングと共に移動する。
【発明を実施するための最良の形態】
【００１６】
図１ないし図３に示すように、本発明を具体化すると共に全体が参照符号４０により示されたシェービング装置は、ハンドル４２を有し、このハンドル４２は自身から伸びるシェービングヘッド４４をもつ。カートリッジリテーナ４６は、シェービングヘッド４４により支持されると共に、図解された実施形態において、以下により詳述するように、シェービングヘッド４４により画定される内部領域４８内部領域に配置される部分を有する。また、カートリッジリテーナ４６は、内部領域４８から外側に向けて突出する部分５０を有する。
【００１７】
図４及び図５に示すように、外側に突出する部分５０は、カートリッジ係合面５２を有し、図解された実施形態においては、シェービングヘッド４４を横切り、カートリッジリテーナ４６の長手方向に伸びている。カートリッジ係合面52は、複数の概ね円筒状の部分５４を画定し、図１において最も良く示されるように、各々がスナップ式に解放可能及びスライド可能にスロット５６に係合しており、全体が参照符号６０により指示された剃刀カートリッジの一部を形成する面５８に長手方向に沿って伸長している。カートリッジ係合面５２は、解放可能にスナップ式にスロット５６に係合し、図１ないし図３において”Ａ”が付された矢印により示されるように、剃刀カートリッジ６０は、カートリッジ係合面５２に関して、非回転位置と回転位置との間で回転可能である。詳述すると、剃刀カートリッジ６０は、非回転位置に向けて通常的に付勢されている。
【００１８】
図示するように、カートリッジリテーナ４６は、内部領域４８に部分的に支持されて図１ないし図３において”Ａ”が付された矢印により示されるように、中立位置又は中央位置から概ね相反する方向の両側に角運動し、中央位置に向けて通常的に付勢されている。
【００１９】
剃刀カートリッジ６０は、図１、図４及び図５において最も良く示されるように、プランジャ６２により非回転位置に向けて通常的に付勢されており、シェービングヘッド４４から外側に向けて突出しており、伸長位置と後退位置との間で移動可能となっている。剃刀カートリッジ６０がカートリッジリテーナ４６に装着された場合、プランジャ６２は、剃刀カートリッジと連携して常に付勢したままである。加えて、アクチュエータは、図解された実施形態においてボタン６６で示され、旋回可能にシェービングヘッド４４に装着され、図１及び図４に示す中立位置とボタンが十分に押圧されるカートリッジイジェクト位置（図示せず）の間で移動する。アクチュエータ６６は、プランジャ６２と連携して付勢し、加えて、詳述すると、プッシャに連結されている。
【００２０】
図６ないし図８に示すように、カートリッジリテーナ４６、アクチュエータ６６及びプランジャ６２は、各々が図１の剃刀カートリッジ６０を保持、操作及びイジェクトする機構の一部を形成し、この機構は参照符号６８により全体が示されている。また、機構６８は、図８において最も良く示されるように、ラベット７２の間に介在するとともに、その各端部においてラベット７２に係合する第１のスプリング７０を有し、ラベット７２はアクチュエータ６６とプランジャ６２の各々から外側に向けて突出している。作動中、スプリング７０は、プランジャ６２を伸長位置に向けて、及びアクチュエータ６６を中立位置に向けて通常的に付勢する。機構６８が本発明のシェービング装置に組み込まれたときに、プランジャ６２はシェービング装置４０へ装着されるいずれの剃刀カートリッジ６０とも連携して付勢する。
【００２１】
図６ないし図８をさらに参照すると、機構６８は、内部領域４８内にスライド可能に配置されるカムブロック７４を有する。カムブロック７４は、プランジャにより画定される対応面にスライド可能に係合する面７６を有し、プランジャとカムは互いに相対移動可能である。カムブロック７４は、カートリッジリテーナ４６により画定される対応面８０に係合する隣接面７８を有している。第２のスプリング８２は、カートリッジリテーナ４６の対応面８０とは反対にカムブロック７４の隣接面７８を付勢し、それにより、図６ないし図８に示すように、外部から適用される力に応じてカートリッジリテーナを中央位置に向けて付勢する。外部から力が適用されないときには、カートリッジリテーナは中央位置に位置する。また、第２のスプリング８２は、第１のスプリング７０と連携してアクチュエータ６６を中立位置に向けて付勢するように作用する。本実施形態は、角運動可能なカートリッジリテーナ４６をもつものとして図示及び記載されているが、これに限定されるわけではない。また、カートリッジリテーナ４６は、シェービングヘッド４４に対して固定されるように装着されてもよい。
【００２２】
機構６８をさらに参照すると、プッシャ８４は、カートリッジリテーナ４６に隣接して配置され、アクチュエータ６６のカートリッジイジェクト位置に対応する伸長位置とアクチュエータの中立位置に対応する後退位置との間で移動する。プッシャ８４は図解された実施形態では、間隔を置いて離れた両端部８６をもつ”フォーク状”であり、両端部８６の各々は、カートリッジリテーナ４６のカートリッジ係合面５２の近くに配置されている。機構６８がシェービング装置４０へ搭載されたとき、プッシャ８４は伸長位置へ移動し、両端部８６は剃刀カートリッジ６０のいずれとも係合してカートリッジリテーナ４６にスナップ式に連結されると共に剃刀カートリッジを押してカートリッジリテーナから取り外す。プッシャの移動方法を、以下の段落で説明する。
【００２３】
プッシャ８４とアクチュエータ６６とは、一端部又は突起９０により画定される連結部を介して連結され、突起９０はプッシャの一部を形成し、アクチュエータ６６により画定される図８のスロット９２に係合している。作動中は、アクチュエータ６６が押圧されて、突起がスロット９２に沿って強制的に移動させられ、徐々にプッシャを後退位置から伸長位置に向けて付勢し、それにより、剃刀カートリッジとの係合を解除させる。解放すると、アクチュエータ６６は、中立位置へ移動し、プッシャ８４が後退位置へ移動する。
【００２４】
図９ないし図１１に示すように、機構６８は、シェービングヘッド４４の内部領域４８内に部分的に配置された部分と共にシェービング装置４０に搭載されている。カートリッジリテーナ４６は、シェービングヘッド４４に開口９５を貫通して伸びる柱９４を介して旋回可能に搭載されている。動作中は、カートリッジリテーナ４６は、外部から適用される力に応じて、”Ｂ”が付された矢印により示されるように、概ね相反する両側に角運動し、柱９４を中心に回転する。カートリッジリテーナ４６は、カムブロック７４の隣接面７８によりカートリッジリテーナとは反対に与えられる付勢力により中央位置に戻るように付勢され、この付勢力はスプリング８２により発生する。
【００２５】
アクチュエータ６６は、機構６８の一部を形成するだけでなく、図解された実施形態において概ね円筒状に示される搭載部９６も有しており、これにより、アクチュエータは旋回可能にシェービング装置４０へ装着される。図１２に示すように、アクチュエータ６６の搭載部分９６は、シェービングヘッド４４の一部を形成する一組のスロット９８（一方を図示）に回転可能に係合しており、アクチュエータが中立位置からカートリッジイジェクト位置へ移動する間、アクチュエータは搭載部分９６の略中心に伸びる軸線１００の周りを回転する。
【００２６】
上記した実施形態は、カートリッジリテーナ４６を具体化するものとして図示及び図解され、長手方向に伸びる単一のカートリッジ係合面を有するものであったが、本発明はこれに限定されるわけではない。本発明の第２の実施形態は、図１４及び図１５に示すように、全体が参照符号１４６により示されている。カートリッジリテーナ１４６は、上記したカートリッジリテーナ４６と多くの観点において同様であり、それ故、数字の１が先頭に付された近似する参照符号が同様の要素を指し示すのに使用される。カートリッジリテーナ１４６は、単一のカートリッジ係合面５２の代わりに間隙を介した略同軸状の一対のカートリッジ係合面１５２が備わっている点がカートリッジリテーナ４６と異なる。上記したカートリッジ係合面５２と同様のカートリッジ係合面１５２は、剃刀カートリッジにより画定される、一以上の相補的に成形されたスロットに解放可能、スライド可能及びスナップ式に係合する。図１５に最も良く示されるように、プランジャ１６２とシェービングヘッド１４４から外側に向けて伸びるプッシャの両端部１８６は、それぞれ上記したプランジャ６２とプッシャの両端部８６と全く同様の方法で作動する。
【００２７】
プッシャ８４，１８４は、間隙を介する２つの両端部８６，１８６をもつものとして示したが、本発明はこれに限定されるわけではなく、一又は２つ以上の端部を採用してもよく、多くの構成の中からいずれかを想定できる。加えて、本発明のより広い観点から逸脱しない範囲で、プッシャはカートリッジリテーナの下方以外の位置に配置することも可能である。例えば、プッシャをカートリッジリテーナの上方に配置してもよい。
【００２８】
図１６を参照すると、本発明のシェービング装置は、各々がダンピング手段を有し、このダンピング手段は、全体が参照符号２００により示されて外部から適用される力に応じてエネルギを吸収する。ダンピング手段２００を支持するために、シェービング装置は内部キャビティ２１２を画定する細長いハンドグリップ部２１０を有する。少なくとも一の錘２１４が内部キャビティ２１２内にスライド可能に配置されている。また、一組のスプリング２１６は、内部キャビティ２１２内の錘とは反対側に配置されている。各スプリング２１６は、一端部で錘２１４に、概ね反対の端部でハンドグリップ部２１０に接している。シェービング装置が衝撃力を受けたとき、錘２１４は振動し、それにより、衝撃によるエネルギの少なくとも一部を吸収し、シェービング装置に対するダメージを最小限にする。スプリング２１６は、コイルスプリングの形態のものとして図解したが、本発明はこれに限定されるわけではなく、例えば、ゴム状弾性材料で形成された部材等を本発明のより広い寒天から逸脱しない範囲で代わりに用いることができる。
【００２９】
本発明のシェービング装置のさらに他の実施形態は、図１７ないし図２０に示すように、参上符号３４０により全体が示される。シェービング装置３４０は、多くの点で上記したシェービング装置と同様であり、それ故、数字の３が先頭に付された近似する参照符号が同様の要素を指し示すのに使用される。図解された実施形態では、カートリッジリテーナ３４６は、シェービングヘッド３４４に搭載され、シェービングヘッド３４４により画定される内部領域４８の中へ一部が伸びている。カートリッジリテーナ３４６は、図１７において”Ｃ”が付された矢印により示されるように、中立又は中央位置から相反する方向に角運動可能となっている。トーションスプリング３８２は、内部領域３４８内に配置されてシェービングヘッド３４４とカートリッジリテーナ３４６に係合し、カートリッジリテーナを中央位置に向けて通常的に付勢している。プランジャ３６２は、シェービングヘッド３４４にスライド可能に搭載され、伸長位置と後退位置との間で移動する。プッシャ３８４もまた内部領域４８内にスライド可能に配置され、図１９の中立位置にあるクチュエータ３６６に対応する第１の位置と、図２０のカートリッジイジェクト位置にあるアクチュエータに対応する第２の位置との間で移動する。プッシャ３８４は、シェービングヘッド３４４の略中央に伸びてプッシャが第２の一へ移動したときに剃刀カートリッジ３６０と係合する両端部３８６をもつ部分３７５を有する。プッシャ３８４は、上記したプッシャ１８４とほぼ同じ方法で作動する。プッシャ３８４が第１の位置から第２の位置へ移動すると、両端部３８６は剃刀カートリッジ３６０に係合し、剃刀カートリッジ３６０をシェービング装置から押し外す。スプリング３７０は、プッシャ３８４とプランジャ３６２の間に介在してこれらに係合し、プランジャは剃刀カートリッジ３６０との係合を維持し、スプリングにより生じる付勢力がプッシャを第１の位置へ向けて付勢する。カートリッジリテーナ３４６が概ね相反する方向の両側に角運動可能であると記述したが、本発明はこれに限定されるわけではなく、本発明のより広い観点から逸脱しない範囲でカートリッジリテーナは固定されていてもよい。
【００３０】
図１７ないし図２０をさらに参照すると、アクチュエータ３６６は、シェービングヘッド３４４により画定される開口３６９を通じて内部領域３４８の中へ突出する伸長部３６７を有する。伸長部３６７は、プッシャ３８４と係合し、アクチュエータ３６６が図１８の中立位置から図２０のカートリッジイジェクト位置へ移動したとき、プッシャは第１の位置から第２の位置へ移動する。
【００３１】
本発明のシェービング装置のさらに他の実施形態は、図２１及び図２２に示すように、全体が参照符号４４により示されている。シェービング装置４４０は、上記したシェービング３４０と多くの点で同様であり、それ故、数字の４が先頭に付された近似する参照符号が同様の要素を指し示すのに使用される。シェービング装置４４は、プッシャが存在しない点でシェービング３４０とは異なる。アクチュエータ４６６からかなり突出する伸長部４６９は、アクチュエータが中立位置からカートリッジイジェクト位置へ移動したときに、プランジャ４６２に係合する。これにより、剃刀カートリッジ４６０をイジェクトする。この動きを促すために、シェービングヘッド４４４は、伸長部４６９のプランジャ４６２への係合をガイドするように作用する傾斜面４４５を有する。プランジャ４６２は、プランジャとスプリングサポート４７３との間に介在するスプリング４７０によりカートリッジリテーナとは反対に付勢される。アクチュエータ４６６がカートリッジイジェクト位置に向けて移動すると、プランジャ４６２は、カートリッジがシェービング装置から分離する時点までカートリッジを押す。前述実施形態と同様に、カートリッジリテーナ４４６は、中立位置から通常的に付勢されている位置の両側に角運度可能である。トーションスプリング４８２は、内部領域４４８内に配置されてシェービングヘッド４４４に係合し、付勢においてカートリッジリテーナ４４６と連携して、外部から適用される力に応じて中央位置に向けてカートリッジリテーナ４４６を付勢する。カートリッジリテーナ４４６は移動可能であると記載したが、本発明はこれに限定されるわけではなく、本発明のより広い観点から逸脱しない範囲で、カートリッジリテーナが固定されていてもよい。
【００３２】
本発明のシェービング装置のさらに他の実施形態は、図２３及び図２４に示すように、参照符号５４０により全体が示される。シェービング装置５４０は、多くの点で上記したシェービング装置３４０及び４４０と同様であり、それ故、数字の５が先頭に付された近似する参照符号が同様の要素を指し示すのに使用される。図２３及び図２４と図２１及び図２２とに図解された実施形態との間の主要な相違点は、アクチュエータ５５６は、最初に押圧されて、それから伸長部５６９がプランジャ５６２に係合するために前方にスライドする必要があることである。これにより、剃刀カートリッジ５６０がイジェクトされる。
【００３３】
図２５に示すように、本発明の他の実施形態は、一組のアーム部材６４４をもつハンドル部６４２を有し、アーム部材６４４はハンドル部６４２の一端部に装着される。ハウジングは、参照符号６４８で全体が示され、第１及び第２のハウジング半体６５０及び６５２をそれぞれ有する。第１及び第２のハウジング半体が組み合わされると、第１及び第２のハウジング半体６５０及び６５２は、それぞれ内部領域６５４を画定する。プッシャブロック６５６は、第２のハウジング半体６５２に搭載され第１の位置と第２の位置の間で移動する。プッシャブロック６５６は、相補的に成形されたガイド６６０に係合して第１の位置と第２の位置との間のプッシャブロックの直線的な移動をを保証するスロット６５８を画定する。プランジャ６６２は、内部領域６５４内にスライド可能に搭載されて剃刀カートリッジ６６４に係合する。スプリング６６６は、プランジャ６６２とプッシャブロック６５６との間に介在してこれらに係合し、それにより、プッシャブロックを第１の位置に向けて付勢すると共にプランジャを剃刀カートリッジ６６４とは反対に付勢する。
【００３４】
プッシャブロック６５６は、自身から外側に向けて突出すると共に概ね互いに反対側にある一組の付属部６６８を有する。各付属部６６８は、一端部６７０を画定しており、この一端部の機能は以下に詳細に記述される。一組のリテーナ６７２は、プッシャブロック６５６に隣接する内部領域内にスライド可能に配置される。第２のスプリング６７４は、各リテーナ６７２の間に介在すると共に各リテーナ６７２と係合し、リテーナをカートリッジ保持位置に向けて付勢する。ノッチ６７６は、各リテーナにより画定され、第２のハウジング半体６５２から伸びるピン６７８を受容する。ピン６７８の各々は、リテーナ６７２の一つの動きを制限する。また、リテーナ６７２の各々は、自身から外側に向かって突出するピン６８０を有する。各ピン６８０は、第１及び第２のハウジング６５０及び６５２をそれぞれ通過して伸びており、リテーナ６７２がカートリッジ保持位置にあるときに剃刀カートリッジ６６４により画定される合わせ凹部６８２（一方のみ図示）にスライド可能に係合するようになっている。凹部６８２は、剃刀カートリッジ６６４により画定されるスロット６８４の概ね対向する両端部に配置されている。組み立てられたとき、第１及び第２のハウジング半体６５０及び６５２はそれぞれ合わさってカートリッジ係合面６８６を画定する。カートリッジ係合面６８６は、剃刀カートリッジ６８６におけるスロット６８４により画定される形状に対して相補的な形状からなり、剃刀カートリッジを非回転位置と完全に回転した位置との間でカートリッジ係合面に対してスライドさせる。
【００３５】
さらに図２５を参照すると、アクチュエータ６８８は、第１のハウジング半体６５０に隣接して配置され、第１のハウジング半体６５０に対してカートリッジ係合位置及びカートリッジイジェクト位置との間で移動可能となっている。アクチュエータ６８８の一部（図示せず）は、第１のハウジング半体６５０内の開口６９０を通じて伸長し、プッシャブロック６５６に係合している。アクチュエータ６８８が中立位置からカートリッジイジェクト位置へ移動したとき、プッシャブロック付属部６６８の端部６７０の各々は、徐々に傾斜面６９２に係合してピン部６８０を凹部６８２から後退させて剃刀カートリッジをシェービング装置から分離させる。
【００３６】
本発明のシェービング装置のさらに他の実施形態は、図２７及び図２８に示され、参照符号７４０により全体が指示されている。シェービング装置７４０は、多くの点で上記したシェービング装置６４０と同様であり、それ故、数字の７が先頭に付された近似する参照符号が同様の要素を指し示すのに使用される。シェービング装置７４０は、第１及び第２の合わせハウジングセクション７４４，７４６をもつハンドル部７４２を有し、ハウジングセクション７４４，７４６はそれぞれハンドル部の一端部に装着される。第１及び第２のハウジングセクション７４４及び７４６はそれぞれ協働して部分的に閉じた内部領域を画定し、この内部領域は、参照符号７５０により全体が指し示されるカートリッジ保持組立体を受容すると共に回転可能に保持するようになっている。第１のハウジングセクション７４４は、その一端部において開口７５２を画定しており、この開口はアクチュエータ７８８をカートリッジ保持組立体７５０へ装着させる。
【００３７】
カートリッジ保持組立体７５０は、第２のハウジングセクション７４６に柱（図示せず）を介して回転可能に搭載されており、この柱は第２のハウジングセクション７４６から外側に向けて突出し第２のハウジングセクションにより画定される開口７５４に回転可能に係合する。カートリッジ保持組立体７５０は、外部から適用される力に応じて中立又は中央位置から略相反する方向の両側に角運動可能である。カートリッジ保持組立体７５０は、スプリングを介して中央位置に向けて通常的に付勢され、このスプリングは、図解された実施形態においてカートリッジ保持組立体と第２のハウジングセクション７４６との間に介在すると共にこれらと連携して付勢するトーションスプリング７５６として示されている。このように、カートリッジ保持組立体７５０及びこの上に搭載される剃刀カートリッジ７６０は、ユニットとしてハンドル部７４２と第１及び第２のハウジングセクション７４４及び７４６の各々とに対して両側に角運動可能である。
【００３８】
図２８を参照すると、カートリッジ保持組立体７５０は、メインハウジング７６８を含み、このメインハウジング７６８は一端部においてハウジング構成部品が配置される開口７７０を画定している。一組のリテーナ７７２は、メインハウジング７６８内に配置されて各々がピン７８０を画定している。各ピン７８０は、メインハウジング７６８により画定された開口７８２（一つのみ図示）を通じて伸長し、剃刀カートリッジにより画定される相補的に成形された凹部７８３（一つのみ図示）に係合するようになっている。プッシャブロック７５６は、メインハウジング７６８内にスライド可能に配置されて第１及び第２の位置の間を移動する。プッシャブロックは、相隔たる一対の突起７９０を画定しており、各突起７９０は各リテーナ７７２により画定される傾斜スロット７９２に係合する。したがって、プッシャブロック７５６は第１の位置から第２の位置まで移動したとき、突起７９０は徐々に各傾斜スロットに係合してピン７８０を伸長位置から後退位置へ直線的に移動させて剃刀カートリッジおける凹部７８３から分離させ、それにより、剃刀カートリッジをシェービング装置７４０から解放させる。プッシャブロック７５６を移動させるために、アクチュエータ７８８はプッシャブロック７５６に装着されると共に、プッシャブロックの第１の位置に対応する中立位置とプッシャブロックの第２の位置に対応するカートリッジイジェクト位置との間で移動可能となっている。
【００３９】
また、プランジャ７６２は、メインハウジング７６８内にスライド可能に配置されて一部がメインハウジング７６８から外側に向けて伸長する。スプリング７６６は、プランジャとプッシャブロック７５６の間に介在すると共にこれらと係合する。動作に関しては、プランジャは通常的に係合して剃刀カートリッジを非回転位置に向けて付勢する。
【００４０】
上記の構成部品の全てがメインハウジング７６８内に配置されると、弾性クリップ７９４はメインハウジング内に配置されてプッシャブロック７５６と係合する。そして、キャップ７９６は、メインハウジング７６８内に部分的に配置されてメインハウジング７５６に装着される。また、キャップ７９６は、弾性クリップ７９４と係合し、それにより、上記の構成部品の全てがハウジング内に保持される。
【００４１】
また、図２９ないし図３４に示すように、ハウジング７５０は、シェービングヘッドへの衝撃によるエネルギを少なくとも部分的に吸収するように構成されてシェービング装置に搭載可能である。これを達成するには、ダンパ部材７９８がインパクトハウジング８００内にスライド可能に配置されると共にインパクトハウジングに順に係合する第１の弾性部材８０２に装着される。スプリング８０４は、ダンパ部材７９８の一端部とインパクトハウジング８００から伸びるボス８０６との間に介在している。メインハウジング７５０は、メインハウジングにより画定される面から外側に向けて突出する突起８０８を有する。この突起は、トーションスプリング７５５を通じて伸長していると共にインパクトハウジング８００により画定されるスロット８１０にスライド可能に受容される。ダンパ部材７９８の一端部８１２は、トーションスプリング７５５に係合し、衝撃によりメインハウジング７５０がインパクトハウジング８００に対してスライドし、突起８０８と共にトーションスプリング７５５をインパクトハウジングに対して移動させる。そして、トーションスプリング７５５は、ダンパ部材７９８を押してインパクトハウジング８００に対してダンパ部材７９８も移動させる。弾性部材８０２及びスプリング８０４の双方は、ダンパ部材８０４の移動とは反対に作用して衝撃荷重の少なくとも一部を吸収するように作用する。
【００４２】
上記したカートリッジ保持組立体の他の実施形態は、図３５に示され、参照符号９５０により全体が指し示されている。カートリッジ保持組立体９５０は、カートリッジ保持組立体７５０と多くの点において同様であり、それ故、数字の９が先頭に付された近似する参照符号が同様の要素を指し示すのに使用される。カートリッジ保持組立体７５０と図解された実施形態に示されるカートリッジ保持組立体との間での相違点は、リテーナ９７２の一部を形成するピン９８０がメインハウジング９６８により画定されるカートリッジ係合面から外側に向けて突出しているのではなくてリテーナの一部を同じく形成するアーム９８１により支持されており、このアームがメインハウジングから外側に向けて突出している。
【００４３】
上記したカートリッジ保持組立体の他の実施形態は、図３６及び図３７に示され、参照符号１０００により全体が指し示されている。本実施形態では、ハウジングは参照符号１００２により全体が指し示され、図解された実施形態において突出部１００４として示され一対のリテーナ１００６の間に配置された運動拘束器を有し、リテーナは剃刀カートリッジ１００８を解放可能に保持するようになっている。剃刀カートリッジ１００８は、剃刀カートリッジ１００８が解放可能にリテーナ１００６に連結されたときに、突出部１００４により画定されるノッチ１０１２に配置できる形状の伸長部１０１０を有する。ノッチ１０１２は、傾斜側面１０１４により一部が画定されている。傾斜側面１０１４は、剃刀カートリッジ１００８をリテーナ１００６上に案内する際に補助するように作用すると共に剃刀カートリッジにより達成できる横方向の移動量を制限するように作用する。運動拘束器はハウジング１００２から外側に突出するように図解されたが、本発明はこれに限定されるわけではなく、本発明のより広い観点から逸脱しない範囲で、例えば、ノッチ１０１２をハウジングの中に伸ばすことも可能である。
【００４４】
関連する技術分野の当業者には明らかなように、添付された特許請求の範囲から逸脱しない範囲で、本発明の上記実施形態及びその他の実施形態に対して様々な改変及び修整が可能である。
【図面の簡単な説明】
【００４５】
【図１】図１は、剃刀カートリッジが装着された本発明のシェービング装置の部分的な斜視図である。
【図２】図２は、図１のシェービング装置の部分的な斜視図である。
【図３】図３は、図１のシェービング装置の部分的な側面図である。
【図４】図４は、剃刀カートリッジが取り外された図１のシェービング装置の部分的な斜視図である。
【図５】図５は、他の角度からの図４のシェービング装置の部分的な斜視図である。
【図６】図６は、図１のシェービング装置に使用される機構であって、剃刀カートリッジの保持、イジェクト、及び係合のための機構の部分的な斜視図である。
【図７】図７は、剃刀カートリッジの保持、イジェクト、及び係合のための図６に示した機構も斜視図である。
【図８】図８は、図６に示した機構の側面図である。
【図９】図９は、取り外されたハンドル及びシェービングヘッドの上部とシェービングヘッドにより画定される内部領域内に配置された図６の機構とを示す図１のシェービング装置の部分的な斜視図である。
【図１０】図１０は、図９のシェービング装置の部分的な側面図である。
【図１１】図１１は、剃刀カートリッジが搭載された図９のシェービング装置の部分的な斜視図である。
【図１２】図１２は、取り外されたハンドルの下部及びシェービングヘッドにより画定される内部領域に配置された図６の機構とを示す、図１のシェービング装置の部分的な斜視図である。
【図１３】図１３は、異なる角度から見た図１２のシェービング装置の部分的な斜視図である。
【図１４】図１４は、一対の略同軸状の相隔たるカートリッジ係合面をもつカートリッジリテーナを示す、図１のシェービング装置の部分的な斜視図である。
【図１５】図１５は、図１４のシェービング装置の部分的な斜視図である。
【図１６】図１６は、ハンドルにより画定される内部領域に配置された衝撃減衰スプリング−マスシステムを示す、シェービング装置の部分的な横断斜視図である。
【図１７】図１７は、本発明のシェービング装置の一実施形態の部分的な横断平面図である。
【図１８】図１８は、シェービング装置の第１の回転位置に搭載された剃刀カートリッジを示す、図１７のシェービング装置の側断面図である。
【図１９】図１９は、シェービング装置の中立又は非回転位置に搭載された剃刀カートリッジを示す、図１７のシェービング装置の部分的な側断面図である。
【図２０】図２０は、シェービング装置の回転位置又はイジェクト位置に搭載された剃刀カートリッジを示す、図１７のシェービング装置の部分的な側断面図である。
【図２１】図２１は、本発明のシェービング装置の一実施形態の部分的な横断平面図である。
【図２２】図２２は、図２１のシェービング装置の部分的な側断面図である。
【図２３】図２３は、本発明のシェービング装置の一実施形態の部分的な横断平面図である。
【図２４】図２４は、図２３のシェービング装置の部分的な側断面図である。
【図２５】図２５は、本発明のシェービング装置の他の分解図である。
【図２６】図２６は、図２５のシェービング装置の平面図である。
【図２７】図２７は、本発明のシェービング装置の代替の実施形態の分解部品図である。
【図２８】図２８は、図２７の実施形態のシェービングヘッドの一部を形成するハウジングの分解部品図である。
【図２９】図２９は、図２８のメインハウジングの斜視図である。
【図３０】図３０は、衝撃から生じるエネルギを消散させるスプリング及びダンパ機構を示すインパクトハウジングの斜視図である。
【図３１】図３１は、図２９のメインハウジングと図３０のインパクトハウジングが互いに位置合わせされた状態の斜視図である。
【図３２】図３２は、メインハウジングと図３０のスプリングダンパ機構との間の相互作用を図解する、図２９におけるメインハウジングの斜視図である。
【図３３】図３３は、図３０のインパクトハウジングの他の斜視図である。
【図３４】図３４は、図２９のメインハウジングと図３０のインパクトハウジングが互いに位置合わせされた状態の他の斜視図である。
【図３５】図３５は、図２９のメインハウジングの他の実施形態の図である。
【図３６】図３６は、横方向のずれを制限する機構を示す、本発明のシェービング装置の部分的な分解された状態の上面図である。
【図３７】図３７は、横方向のずれを制限する機構を示す、本発明のシェービング装置の部分的な上面図である。
【図１】
0004408895.tif 000002
【図２】
0004408895.tif 000003
【図３】
0004408895.tif 000004
【図４】
0004408895.tif 000005
【図５】
0004408895.tif 000006
【図６】
0004408895.tif 000007
【図７】
0004408895.tif 000008
【図８】
0004408895.tif 000009
【図９】
0004408895.tif 000010
【図１０】
0004408895.tif 000011
【図１１】
0004408895.tif 000012
【図１２】
0004408895.tif 000013
【図１３】
0004408895.tif 000014
【図１４】
0004408895.tif 000015
【図１５】
0004408895.tif 000016
【図１６】
0004408895.tif 000017
【図１７】
0004408895.tif 000018
【図１８】
0004408895.tif 000019
【図１９】
0004408895.tif 000020
【図２０】
0004408895.tif 000021
【図２１】
0004408895.tif 000022
【図２２】
0004408895.tif 000023
【図２３】
0004408895.tif 000024
【図２４】
0004408895.tif 000025
【図２５】
0004408895.tif 000026
【図２６】
0004408895.tif 000027
【図２７】
0004408895.tif 000028
【図２８】
0004408895.tif 000029
【図２９】
0004408895.tif 000030
【図３０】
0004408895.tif 000031
【図３１】
0004408895.tif 000032
【図３２】
0004408895.tif 000033
【図３３】
0004408895.tif 000034
【図３４】
0004408895.tif 000035
【図３５】
0004408895.tif 000036
【図３６】
0004408895.tif 000037
【図３７】
0004408895.tif 000038